(57)【要約】【課題】  電気機器の梱包において、電源コードの収納作業の効率化が図られ、且つ、包装箱内での電源コードの保持が良好なものとなる電気機器の包装体の提供。【解決手段】  ダンボール等の折り曲げ可能な包装素材に、電源プラグ６１１を挿通させる切り込み５２を形成し、略コ字形に折り曲げることにより、電源プラグ保持部材５０を形成し、当該電源プラグ保持部材５０の切り込み５２に電気機器６１の電源プラグ６１１を係止し、これを包装箱６２と電気機器６１との間に収納する。【選択図】  図７
2006151471.tif 000002
【特許請求の範囲】
【請求項１】
電気機器が緩衝材によって保護されて包装箱に収められた包装体であって、ダンボール等の折曲げ可能な包装素材を１箇所で折り曲げることにより略Ｌ字形にし、当該折り目を境にして形成される２面のうちの一方の面若しくは両方の面に、電源プラグのプラグ端子を挿通させるための切込み若しくは切欠きを形成することによって構成された電源プラグ保持部材に、前記電気機器の電源プラグを、当該電源プラグのプラグ端子を前記切込み若しくは切欠きに挿通させることによって保持させ、当該電源プラグを保持した電源プラグ保持部材を、前記緩衝材があることによって形成される前記電気機器と前記包装箱との間の隙間部に収納したことを特徴とする電気機器の包装体。
【請求項２】
電気機器が緩衝材によって保護されて包装箱に収められた包装体であって、ダンボール等の折曲げ可能な包装素材を２箇所で折り曲げることにより略コ字形にし、当該折り目を境にして形成される３面のうちの何れか１つの面若しくは複数の面に、電源プラグのプラグ端子を挿通させるための切込み若しくは切欠きを形成することによって構成された電源プラグ保持部材に、前記電気機器の電源プラグを、当該電源プラグのプラグ端子を前記切込み若しくは切欠きに挿通させることによって保持させ、当該電源プラグを保持した電源プラグ保持部材を、前記緩衝材があることによって形成される前記電気機器と前記包装箱との間の隙間部に収納したことを特徴とする電気機器の包装体。
【請求項３】
前記電源プラグ保持部材に前記電源プラグを係止させる際に、前記電源プラグが、前記電源プラグ保持部材の折り曲げ方向の内側となる位置に保持されるように前記電源プラグのプラグ端子を前記切込み若しくは切欠きに挿通させ、当該電源プラグを保持した電源プラグ保持部材を、前記電源プラグのプラグ端子の突出方向が前記電気機器のある方向へ向かわないように、前記電気機器と包装箱との間の隙間部に収納したことを特徴とする請求項１又は請求項２に記載の電気機器の包装体。
【請求項４】
前記電源プラグ保持部材の切込み若しくは切欠きに前記電源プラグのプラグ端子を挿通させることによって前記切込み若しくは切欠きから突出している前記プラグ端子の長さと、略同一若しくはこれより長い長さの突出部を、前記電源プラグ保持部材を折り曲げることによって、若しくは、前記電源プラグ保持部材の一部に切り込みを入れて形成した舌片部によって、前記電源プラグ保持部材の前記プラグ端子が突出する面に形成したことを特徴とする請求項１乃至請求項３の何れか１つに記載の電気機器の包装体。
【請求項５】
前記電源プラグ保持部材に、前記電気機器に付属するリモコン装置などのアクセサリを粘着テープや結束バンドなどにより係止して、当該電源プラグ保持部材を、前記電気機器と包装箱との間の隙間部に収納したことを特徴とする請求項１乃至請求項４の何れか１つに記載の電気機器の包装体。
【請求項６】
前記電源プラグ保持部材に、略並行で且つ略同一の長さである２本の切込みを設け、当該２本の切込みに挟まれる部分であるバンド部を引き出すようにして、当該バンド部と前記２本の切込みの外側となる部分とを異なる方向に屈曲させることによりアクセサリ収納部を形成し、若しくは、前記電源プラグ保持部材に１本の切込みを設け当該切込みを境にして互い違いとなるように異なる方向に屈曲させることによりアクセサリ収納部を形成し、当該アクセサリ収納部に、前記電気機器に付属するリモコン装置などのアクセサリを収納して、当該電源プラグ保持部材を、前記電気機器と包装箱との間の隙間部に収納したことを特徴とする請求項１乃至請求項４の何れか１つに記載の電気機器の包装体。
【請求項７】
前記電源プラグ保持部材が、略矩形のダンボール等の折曲げ可能な包装素材を折り曲げることによって形成され、当該電源プラグ保持部材の外形の１辺若しくは複数の辺の寸法が、前記電気機器と包装箱との間の隙間部の寸法の１辺若しくは複数の辺と略同一若しくはやや小さめであることを特徴とする請求項１乃至請求項６の何れか１つに記載の電気機器の包装体。
【請求項８】
前記電源プラグのプラグ端子を挿通させるための切込み若しくは切欠きを、各仕様の電源プラグの端子形状に応じて複数個形成した、又は、前記電源プラグの把手部を嵌め込むための嵌合穴を１個又は複数個形成したことを特徴とする請求項１乃至請求項７の何れか１つに記載の電気機器の包装体。
【発明の詳細な説明】
【技術分野】
【０００１】
本発明は、電気機器の包装体に関し、特に、電気機器の電源コードの収納に配慮がなされた包装体に関する。
【背景技術】
【０００２】
従来、物品を損傷させること無く運搬するために、ダンボール箱などの包装箱が広く利用されており、電気機器等の衝撃に弱いものを梱包する場合には、箱内部に発泡スチロールなどの緩衝材を内装させること等が行われている。電気機器には、電気機器本体から延びる電源コードや、リモコン装置などのアクセサリなどが付属する場合があるため、これらの部材を梱包することも考慮する必要がある。このような包装箱への電源コードなどの収納に関する従来技術が特許文献１〜特許文献３などによって開示されている。
【０００３】
【特許文献１】特開２００１−３１５７５９号公報
【特許文献２】特開２００２−８００２７号公報
【特許文献３】実用新案登録第３０９６２４３号公報
【発明の開示】
【発明が解決しようとする課題】
【０００４】
上記特許文献では、電源コードなどを専用の包装部材（例えば箱など）に収納することの作業の煩雑さや、包装部材の増加によるコスト高などを課題とし、電気機器を梱包する包装箱自体や緩衝材に、電源コードを係止若しくは収納させることにより、電源コードなどを収納させる包装部材を不要とするようにしている。しかし、電気機器本体に繋がっている電源コードを、電気機器を収納させる包装箱や緩衝材に収納させるようにすると、反ってその作業が煩雑となる場合があった（電気機器本体に電源コードが繋がっており、且つ、電気機器本体と包装箱や緩衝材との位置関係も決まっているため、電源コードと包装箱や緩衝材の相互の位置関係に制限が生じることとなり、電源コードを包装箱や緩衝材に嵌め込むなどする作業が煩雑となる場合がある）。
【０００５】
本発明は上記した点に鑑み、電気機器の梱包において、電源コードの収納作業の効率化が図られ、且つ、包装箱内での電源コードの保持が良好なものとなる電気機器の包装体を提供することを目的とする。
【課題を解決するための手段】
【０００６】
請求項１の電気機器の包装体は、電気機器が緩衝材によって保護されて包装箱に収められた包装体であって、ダンボール等の折曲げ可能な包装素材を１箇所で折り曲げることにより略Ｌ字形にし、当該折り目を境にして形成される２面のうちの一方の面若しくは両方の面に、電源プラグのプラグ端子を挿通させるための切込み若しくは切欠きを形成することによって構成された電源プラグ保持部材に、前記電気機器の電源プラグを、当該電源プラグのプラグ端子を前記切込み若しくは切欠きに挿通させることによって保持させ、当該電源プラグを保持した電源プラグ保持部材を、前記緩衝材があることによって形成される前記電気機器と前記包装箱との間の隙間部に収納したことを特徴とする。
【０００７】
上記構成によれば、段ボール等に、電源プラグのプラグ端子を挿通させるための切込み若しくは切欠きを形成し、２つに折り曲げることのみによって「電源プラグ保持部材」を形成でき、これにプラグ端子を差込むことのみによって電源プラグ（電源コード）を「電源プラグ保持部材」に係止することができ、当該電源プラグを保持した電源プラグ保持部材を包装箱に収納することにより、電源プラグ（電源コード）が包装箱内で保持される。「電源プラグ保持部材」は、２面を有する（Ｌ字形）ため、１面でプラグ端子を挿通・保持させ、他方の面で電源プラグ（電源コード）と電気機器との間を隔てる（保護する）ことができる。
【０００８】
請求項２の電気機器の包装体は、電気機器が緩衝材によって保護されて包装箱に収められた包装体であって、ダンボール等の折曲げ可能な包装素材を２箇所で折り曲げることにより略コ字形にし、当該折り目を境にして形成される３面のうちの何れか１つの面若しくは複数の面に、電源プラグのプラグ端子を挿通させるための切込み若しくは切欠きを形成することによって構成された電源プラグ保持部材に、前記電気機器の電源プラグを、当該電源プラグのプラグ端子を前記切込み若しくは切欠きに挿通させることによって保持させ、当該電源プラグを保持した電源プラグ保持部材を、前記緩衝材があることによって形成される前記電気機器と前記包装箱との間の隙間部に収納したことを特徴とする。
【０００９】
上記構成によれば、「電源プラグ保持部材」が略コ字形であるため、電源プラグ（電源コード）を３面で挟み込んで保持することができる。
【００１０】
請求項３の電気機器の包装体は、請求項１又は請求項２に記載の電気機器の包装体であって、前記電源プラグ保持部材に前記電源プラグを係止させる際に、前記電源プラグが、前記電源プラグ保持部材の折り曲げ方向の内側となる位置に保持されるように前記電源プラグのプラグ端子を前記切込み若しくは切欠きに挿通させ、当該電源プラグを保持した電源プラグ保持部材を、前記電源プラグのプラグ端子の突出方向が前記電気機器のある方向へ向かわないように、前記電気機器と包装箱との間の隙間部に収納したことを特徴とする。
【００１１】
上記構成によれば、電源プラグのプラグ端子の突出方向が、電気機器のある方向へ向かわないように、電気機器と包装箱との間の隙間部に収納されるため、プラグ端子が電気機器に接触する虞がない。
【００１２】
請求項４の電気機器の包装体は、請求項１乃至請求項３の何れか１つに記載の電気機器の包装体であって、前記電源プラグ保持部材の切込み若しくは切欠きに前記電源プラグのプラグ端子を挿通させることによって前記切込み若しくは切欠きから突出している前記プラグ端子の長さと、略同一若しくはこれより長い長さの突出部を、前記電源プラグ保持部材を折り曲げることによって、若しくは、前記電源プラグ保持部材の一部に切り込みを入れて形成した舌片部によって、前記電源プラグ保持部材の前記プラグ端子が突出する面に形成したことを特徴とする。
【００１３】
上記構成によれば、突出しているプラグ端子と略同一若しくはこれより長い長さとなる突出部が、プラグ端子が突出している面に形成されるため、プラグ端子が電気機器や包装箱などに接触することが抑止される。
【００１４】
請求項５の電気機器の包装体は、請求項１乃至請求項４の何れか１つに記載の電気機器の包装体であって、前記電源プラグ保持部材に、前記電気機器に付属するリモコン装置などのアクセサリを粘着テープや結束バンドなどにより係止して、当該電源プラグ保持部材を、前記電気機器と包装箱との間の隙間部に収納したことを特徴とする。
【００１５】
上記構成によれば、電源プラグ保持部材によって電気機器に付属するリモコン装置などのアクセサリも保持されて包装箱内に収納される。
【００１６】
請求項６の電気機器の包装体は、請求項１乃至請求項４の何れか１つに記載の電気機器の包装体であって、前記電源プラグ保持部材に、略並行で且つ略同一の長さである２本の切込みを設け、当該２本の切込みに挟まれる部分であるバンド部を引き出すようにして、当該バンド部と前記２本の切込みの外側となる部分とを異なる方向に屈曲させることによりアクセサリ収納部を形成し、若しくは、前記電源プラグ保持部材に１本の切込みを設け当該切込みを境にして互い違いとなるように異なる方向に屈曲させることによりアクセサリ収納部を形成し、当該アクセサリ収納部に、前記電気機器に付属するリモコン装置などのアクセサリを収納して、当該電源プラグ保持部材を、前記電気機器と包装箱との間の隙間部に収納したことを特徴とする。
【００１７】
上記構成によれば、電源プラグ保持部材自体によって電気機器に付属するリモコン装置などのアクセサリを保持するためのアクセサリ収納部が形成されるため、リモコン装置などのアクセサリを係止するための粘着テープや結束バンドを必要としない。
【００１８】
請求項７の電気機器の包装体は、請求項１乃至請求項６の何れか１つに記載の電気機器の包装体であって、前記電源プラグ保持部材が、略矩形のダンボール等の折曲げ可能な包装素材を折り曲げることによって形成され、当該電源プラグ保持部材の外形の１辺若しくは複数の辺の寸法が、前記電気機器と包装箱との間の隙間部の寸法の１辺若しくは複数の辺と略同一若しくはやや小さめであることを特徴とする。
【００１９】
上記構成によれば、電源プラグ保持部材の外形の１辺若しくは複数の辺の寸法が、電気機器と包装箱との間の隙間部の寸法の１辺若しくは複数の辺と略同一若しくはやや小さめとなるため、電源プラグ保持部材の包装箱に対する位置決めがなされ、運搬の際などに、包装箱内で電源プラグ保持部材がガタつくことが抑止される。さらに、包装箱の外部から加えられる荷重の一部を、電源プラグ保持部材によって保持することが可能となる。
【００２０】
請求項８の電気機器の包装体は、請求項１乃至請求項７の何れか１つに記載の電気機器の包装体であって、前記電源プラグのプラグ端子を挿通させるための切込み若しくは切欠きを、各仕様の電源プラグの端子形状に応じて、複数個形成した、又は、前記電源プラグの把手部を嵌め込むための嵌合穴を１個又は複数個形成したことを特徴とする。
【００２１】
上記構成によれば、例えば各仕向け地によってプラグ端子又は電源プラグの把手部の形状が異なる等の場合であっても、それぞれに応じた切込み若しくは切欠き又は嵌合穴を形成しておくことにより、１種類の「電源プラグ保持部材」によって対応することができる。
【発明の効果】
【００２２】
本発明の請求項１の、電気機器が緩衝材によって保護されて包装箱に収められた包装体であって、ダンボール等の折曲げ可能な包装素材を１箇所で折り曲げることにより略Ｌ字形にし、当該折り目を境にして形成される２面のうちの一方の面若しくは両方の面に、電源プラグのプラグ端子を挿通させるための切込み若しくは切欠きを形成することによって構成された電源プラグ保持部材に、前記電気機器の電源プラグを、当該電源プラグのプラグ端子を前記切込み若しくは切欠きに挿通させることによって保持させ、当該電源プラグを保持した電源プラグ保持部材を、前記緩衝材があることによって形成される前記電気機器と前記包装箱との間の隙間部に収納したことを特徴とする電気機器の包装体によれば、段ボール等に、電源プラグのプラグ端子を挿通させるための切込み若しくは切欠きを形成し、２つに折り曲げることのみによって「電源プラグ保持部材」を形成できる（実際には「切込み若しくは切欠き」は、段ボール等を切り抜くプレス工程において同時に形成することができ、作業工程としては「折り曲げる」ことのみである）ため、「電源プラグ保持部材」を安価かつ簡便に形成することができる。また、「電源プラグ保持部材」にプラグ端子を差込むことのみによって電源プラグ（電源コード）を電源プラグ保持部材に係止することができ、当該電源プラグを保持した電源プラグ保持部材を包装箱に収納することにより、電源プラグ（電源コード）が包装箱内で保持されるため、作業工程も明瞭且つ簡便なものとなる。従って、「電源プラグ保持部材」を形成するコストと梱包時の作業コストとを総合的に勘案した総コストが低減される。
【００２３】
本発明の請求項２の、電気機器が緩衝材によって保護されて包装箱に収められた包装体であって、ダンボール等の折曲げ可能な包装素材を２箇所で折り曲げることにより略コ字形にし、当該折り目を境にして形成される３面のうちの何れか１つの面若しくは複数の面に、電源プラグのプラグ端子を挿通させるための切込み若しくは切欠きを形成することによって構成された電源プラグ保持部材に、前記電気機器の電源プラグを、当該電源プラグのプラグ端子を前記切込み若しくは切欠きに挿通させることによって保持させ、当該電源プラグを保持した電源プラグ保持部材を、前記緩衝材があることによって形成される前記電気機器と前記包装箱との間の隙間部に収納したことを特徴とする電気機器の包装体によれば、「電源プラグ保持部材」が略コ字形であるため、電源プラグ（電源コード）を３面で挟み込んで保持することができ、「電源プラグ保持部材」による電源プラグの保持力を上げることができると共に、「電源プラグ保持部材」によって電源プラグ（電源コード）と電気機器との間を隔てることができるため、電気機器（若しくは電源コード）を保護することができる。
【００２４】
本発明の請求項３の、前記電源プラグ保持部材に前記電源プラグを係止させる際に、前記電源プラグが、前記電源プラグ保持部材の折り曲げ方向の内側となる位置に保持されるように前記電源プラグのプラグ端子を前記切込み若しくは切欠きに挿通させ、当該電源プラグを保持した電源プラグ保持部材を、前記電源プラグのプラグ端子の突出方向が前記電気機器のある方向へ向かわないように、前記電気機器と包装箱との間の隙間部に収納したことを特徴とする請求項１又は請求項２に記載の電気機器の包装体によれば、電源プラグのプラグ端子の突出方向が、電気機器のある方向へ向かわないように、電気機器と包装箱との間の隙間部に収納されるため、プラグ端子が電気機器に接触する虞がなく、従って、運搬中などの揺れや衝撃によって電源プラグの端子が電気機器に接触して電気機器を傷つけるといったことが防止される。
【００２５】
本発明の請求項４の、前記電源プラグ保持部材の切込み若しくは切欠きに前記電源プラグのプラグ端子を挿通させることによって前記切込み若しくは切欠きから突出している前記プラグ端子の長さと、略同一若しくはこれより長い長さの突出部を、前記電源プラグ保持部材を折り曲げることによって、若しくは、前記電源プラグ保持部材の一部に切り込みを入れて形成した舌片部によって、前記電源プラグ保持部材の前記プラグ端子が突出する面に形成したことを特徴とする請求項１乃至請求項３の何れか１つに記載の電気機器の包装体によれば、突出しているプラグ端子と略同一若しくはこれより長い長さとなる突出部が、プラグ端子が突出している面に形成されるため、プラグ端子が電気機器や包装箱などに接触することが抑止され、運搬中などの揺れや衝撃によって電源プラグの端子が電気機器や包装箱に接触して電気機器を傷つけるといったことが防止される。
【００２６】
本発明の請求項６の、前記電源プラグ保持部材に、略並行で且つ略同一の長さである２本の切込みを設け、当該２本の切込みに挟まれる部分であるバンド部を引き出すようにして、当該バンド部と前記２本の切込みの外側となる部分とを異なる方向に屈曲させることによりアクセサリ収納部を形成し、若しくは、前記電源プラグ保持部材に１本の切込みを設け当該切込みを境にして互い違いとなるように異なる方向に屈曲させることによりアクセサリ収納部を形成し、当該アクセサリ収納部に、前記電気機器に付属するリモコン装置などのアクセサリを収納して、当該電源プラグ保持部材を、前記電気機器と包装箱との間の隙間部に収納したことを特徴とする請求項１乃至請求項４の何れか１つに記載の電気機器の包装体によれば、電源プラグ保持部材によって電気機器に付属するリモコン装置などのアクセサリも保持されて包装箱内に収納され、当該アクセサリなどの保持構造が、電源プラグ保持部材自体によって形成されるため、リモコン装置などのアクセサリを係止するための粘着テープや結束バンドを必要せず、コストの低減が図られる。
【００２７】
本発明の請求項７の、前記電源プラグ保持部材が、略矩形のダンボール等の折曲げ可能な包装素材を折り曲げることによって形成され、当該電源プラグ保持部材の外形の１辺若しくは複数の辺の寸法が、前記電気機器と包装箱との間の隙間部の寸法の１辺若しくは複数の辺と略同一若しくはやや小さめであることを特徴とする請求項１乃至請求項６の何れか１つに記載の電気機器の包装体によれば、電源プラグ保持部材の外形の１辺若しくは複数の辺の寸法が、電気機器と包装箱との間の隙間部の内形寸法の１辺若しくは複数の辺と略同一若しくはやや小さめとなるため、電源プラグ保持部材の包装箱に対する位置決めがなされ、運搬の際などに、包装箱内で電源プラグ保持部材がガタつくことが抑止される。さらに、包装箱の外部から加えられる荷重の一部を、電源プラグ保持部材によって保持することが可能となるため、例えば、製品の入った包装箱を重ねて保管する場合などに、包装箱が潰れてしまうことを抑止することができる。当該効果は、「電源プラグ保持部材」がＬ形やコ字形に成形されるため、Ｌ形やコ字形にするための折曲げ線に沿った方向において顕著となる。
【００２８】
本発明の請求項８の、前記電源プラグのプラグ端子を挿通させるための切込み若しくは切欠きを、各仕様の電源プラグの端子形状に応じて、複数個形成した、又は、前記電源プラグの把手部を嵌め込むための嵌合穴を１個又は複数個形成したことを特徴とする請求項１乃至請求項７の何れか１つに記載の電気機器の包装体によれば、例えば各仕向け地によってプラグ端子又は電源プラグの把手部の形状が異なる等の場合であっても、それぞれに応じた切込み若しくは切欠き又は嵌合穴を形成しておくことにより、１種類の「電源プラグ保持部材」によって対応することができるため、共用化によるコスト低減がなされる。
【発明を実施するための最良の形態】
【００２９】
以下、本発明の具体的実施例について、図面を参照しながら説明する。なお、以下の実施態様は、本発明を具体化する際の一形態であって、本発明をその範囲内に限定するためのものではない。
【実施例１】
【００３０】
図１は本実施例の電源プラグ保持部材の概略を示す図であり、図２は本実施例の電気機器の包装体の展開状態を示す斜視図、図３は同包装体の一部を透過的に示した各平面図である。
【００３１】
図１に示されるように本実施例の電源プラグ保持部材１１は、折曲げ可能な包装素材であるダンボールに、電気機器（テレビ）１４の電源プラグ１４１のプラグ端子１４１ａを挿通させるための切込み１１１を形成し、図１ａ中の破線１１２で折り曲げることにより略Ｌ時形に形成される（図１ｂ）。なお、切込み１１１は、ダンボールを図１ａに示される外形（矩形）に切り抜くプレス加工の際に同時に形成されるため、作業としては略Ｌ時形に折り曲げるのみである。
【００３２】
包装体１は、図２・図３に示されるように、包装箱１２と、緩衝材１３（上側緩衝材１３ａ及び下側緩衝材１３ｂ）と、電気機器１４と、電源プラグ１４１及びアクセサリ（リモコン装置や接続コードなどの付属品）１５を取り付けた電源プラグ保持部材１１と、によって構成される。当該包装体１の構成作業（包装箱１２への電気機器１４の収納作業）工程は、アクセサリ１５を電源プラグ保持部材１１に粘着テープや結束バンド（１６ａ）などにより係止し、電源プラグ保持部材１１の切込み１１１に電源プラグ１４１のプラグ端子１４１ａを嵌め込み、当該アクセサリ１５と電源プラグ１４１とが取付けられた電源プラグ保持部材１１を、電気機器１４に粘着テープ１６ｂなどで取り付け、これを緩衝材１３と共に包装箱１２に収納するようにしても良いし、先に包装箱１２へ下側緩衝材１３ｂと電気機器１４とを収納し、この状態でアクセサリ１５が係止された電源プラグ保持部材１１に電源プラグ１４１を取付け、当該アクセサリ１５と電源プラグ１４１とが取付けられた電源プラグ保持部材１１を、電気機器１４に粘着テープ１６ｂなどで取り付けた後に、上側緩衝材１３ａを収納するようにするなどしてもよい。以上のごとく本実施例の包装体１によれば、電源プラグ１４１（電源コード）を保持する部材である電源プラグ保持部材１１が、包装箱１２や緩衝材１３から独立した部材であるため、その収納作業が容易なものとなると共に、作業工程に柔軟性を持たせることができる。特に前者の収納方法によれば、包装箱１２内に収納すべき物品を、包装箱１２に収納する以前に１つにまとめることができるため、包装箱１２への収納作業が容易であると共に、包装箱１２から製品を取り出すときも作業が容易となる。また、これにより、アクセサリ（リモコン装置や接続コードなどの付属品）１５の収納忘れや取り出し忘れなどを防止する効果もある。
【００３３】
さらに、図３などに示されるように、本実施例の包装体１によれば、電源プラグ保持部材１１の２面（Ｌ字形）のうちの一方の面で、電源プラグ１４１及びアクセサリ１５と電気機器１４との間を隔てる（保護する）ことができ、運搬中などの揺れや衝撃によってアクセサリ１５等が電気機器１４に接触して電気機器１４を傷つけることが防止される。これによりアクセサリ１５をビニール袋などにより包装する必要がなく、環境対策及びコストの低減が図られる。また、電源プラグ１４１のプラグ端子１４１ａの突出方向が、電気機器１４のある方向へ向かわないように、電気機器１４と包装箱１２との間の隙間部に収納されるため、プラグ端子１４１ａが電気機器１４に接触する虞がなく、従って、運搬中などの揺れや衝撃によって電源プラグの端子１４１ａが電気機器１４に接触して電気機器１４を傷つけるといったことが防止される。当該効果は、図４に示した電源プラグ保持部材４１のごとく、電源プラグ保持部材４１の一部に切り込みを入れて形成した舌片部４２を折り曲げることより、突出するプラグ端子１４１ａと略同一若しくはこれより長い長さとなる突出部４２ａを形成すると、当該突出部４２ａにより、プラグ端子１４１ａが保護されると共に、電源プラグ保持部材４１の切込み１１１が設けられた面が電気機器１４の方へと曲がる（Ｌ字に折り曲げられた角度が浅くなる）ことが抑止されるため、より顕著となる。
【実施例２】
【００３４】
図５は本実施例の電源プラグ保持部材の概略を示す図であり、図６は本実施例の電気機器の包装体の展開状態を示す斜視図、図８は包装体の一部を透過的に示した各平面図である。
【００３５】
図５に示されるように本実施例の電源プラグ保持部材５０は、短手方向（図５（ａ）中のｙ）の長さが包装箱６２の内側寸法の高さ（図８（ｃ）中のｘ）と略同一である略矩形のダンボール（折曲げ可能な包装素材）に、電気機器（記録再生装置）６１の電源プラグのプラグ端子を挿通させるための切込み５１・５２・５３を形成し、図５（ａ）中の２本の破線５５を同一方向に折り曲げることにより略コ字形に形成される。電源プラグのプラグ端子を挿通させるための切込みは各プラグ端子の形状（端子数が異なるものや、端子の形状・端子間の距離が異なるものなど）に応じて複数形成されており（切込み５１・切込み５２・切込み５３）、さらに電源プラグの把手部を嵌め込むための嵌合穴５４が形成される。図９に各種の電源プラグの形状の例（電源プラグ９１・電源プラグ９２）を示すと共に、図１０にそれぞれの電源プラグに対応する電源プラグ保持部材５０の切り込みを示した。このように本実施例の電源プラグ保持部材５０によれば、１種類の電源プラグ保持部材５０によって各形状の電源プラグに対応することができる。
【００３６】
図７には記録再生装置６１を包装箱６２内に収納する作業工程の一部を説明するための斜視図を示した。図に示されるように、本実施例の包装体６０によれば、記録再生装置６１を緩衝材６３に嵌め込んで包装箱６２内に収納した後に、電源プラグ（電源コード）６１１を電源プラグ保持部材５０に嵌め込み、これを記録再生装置６１と包装箱６２との間の隙間部に収納することによって、包装体６０が構成される。図９（ａ１）・（ａ２）に示されるような、プラグ端子９１ａの突出方向とコードの延出方向が直角であるようなタイプの電源プラグ９１を収納する場合は、図８に示されるようにプラグ端子の突出方向が電気機器（記録再生装置６１）の方へ向かないように収納する。なお、図８に示されるように記録再生装置６１に付属するリモコン装置や各種接続ケーブルなどのアクセサリを、電源プラグ保持部材５０に（略コ字形の内側となる部分に）粘着テープや結束バンドなどで取り付けて収納するなどしてもよい。
【００３７】
以上のごとく、本実施例の包装体６０によれば、プレス加工によって裁断された（外形を形成されると共に切込みや嵌合穴も形成された）段ボールを２回折り曲げることのみによって「電源プラグ保持部材５０」を形成でき（簡便かつ安価に形成できる）、当該電源プラグ保持部材５０（包装箱６２や緩衝材６３から独立している部材であるため自由度が高く作業がしやすい）に電源プラグ６１１（若しくは電源プラグ９１など）を差込んで包装箱に収納することで、包装体６０を形成できる（電気機器を包装箱に収納できる）ため、作業工程が明瞭且つ簡便なものとなる。また、「電源プラグ保持部材５０」が略コ字形であるため、電源プラグ６１１（電源コード）を３面で挟み込んで保持することができ、「電源プラグ保持部材５０」による電源プラグ６１１の保持力を上げることができる。加えて、「電源プラグ保持部材５０」によって電源プラグ６１１（電源コード）と電気機器（記録再生装置６１）との間を隔てることができ、電源プラグ６１１のプラグ端子６１１ａの突出方向が電気機器（記録再生装置６１）のある方向へ向かわないように収納されるため、電気機器（若しくは電源コード）を保護することができる（運搬時などに電源プラグが“暴れて”電気機器に接触して外装等を傷つけることが抑止される）。また、図８（ａ）に示されるように、略コ字形に折り曲げた電源プラグ保持部材５０にはある程度の復元力（折り曲げ角度を浅くするような力）が働くため、折り返し部分の先端部が包装箱６２の内壁に接触する状態となる。従って、包装箱６２内の隙間と電源プラグ保持部材５０の外寸との間に多少の差があっても、電源プラグ保持部材５０が包装箱６２内でガタつくことがなく、ある程度の安定性を得ることができる。
【００３８】
さらに、電源プラグ保持部材５０の短手方向（図５（ａ）中のｙ）の長さと包装箱６２の内側寸法の高さ（図８（ｃ）中のｘ）とが略同一に形成されるため、例えば、包装体６０が重ね積みにされることにより、下の包装箱６２の高さ方向にかかる荷重の一部を電源プラグ保持部材５０によって保持することができる（略コ字形に形成されているため当該方向の耐力が大きい）ため、包装体６０を重ね積みにして保管する際に包装箱６２が重みによって潰れてしまうことを抑止することができる。加えて、リモコン装置などのアクセサリ８０も電源プラグ保持部材５０に保持させることができる。なお、リモコン装置などのアクセサリ８０は、電源プラグ保持部材５０に保持させず（テープなどで止めず）、コ字形の内部となる部分に載置するのみであっても、電源プラグ保持部材５０の短手方向の長さと包装箱６２の内側寸法の高さとが略同一に形成されている（仕切られた空間となっている）ため、リモコン装置などのアクセサリ８０が記録再生装置６１に接触することが抑止され、相互に傷つけあうことが防止される。従って、「電源プラグ保持部材５０」を形成するコストと梱包時の作業コストと等を総合的に勘案した総コストが低減されると共に、運搬時や保管時に包装箱６２や内容物（記録再生装置６１やアクセサリ８０など）が損傷するリスクを低減させることができる。加えて、包装体の強度が高いことにより、積み重ねられる量も増加するため、輸送・保管のコストを低減させることができるという副次的効果も得られる。
【実施例３】
【００３９】
図１１は本実施例の電源プラグ保持部材の概略を示す図であり、図１２は本実施例の電気機器の包装体の一部を透過的に示した上面図である。なお、実施例２と同様の構成要素には実施例２と同一の符号を使用している。
【００４０】
図１１に示されるように、本実施例の電源プラグ保持部材１１００は短手方向（図１１（ａ）中のｚ）の長さが包装箱６２の内側寸法の高さと略同一である略矩形のダンボール（折曲げ可能な包装素材）に、電気機器である記録再生装置６１の電源プラグ６１１（若しくは電源プラグ９３）のプラグ端子６１１ａを挿通させるための切込み１１０１・１１０２を形成し、図１１（ａ）中の各破線で折り曲げることにより、図１１（ｂ）・（ｃ）に示されるように全体として略コ字形に形成され、且つ、電源プラグ６１１のプラグ端子６１１ａが突出する面に突出部１１０３が形成される。当該突出部１１０３は図１１（ｃ）に示されるように、切込み１１０１にプラグ端子６１１を挿通させた状態で、突出しているプラグ端子６１１ａと略同一若しくはこれより長くなるように形成される。
【００４１】
本実施例の、電気機器の包装体１２０によれば、図１１（ｃ）及び図１２に示されるように、突出部１１０３によってプラグ端子６１１ａが保護されるため、運搬中などの揺れや衝撃によって電源プラグの端子６１１ａが電気機器（記録再生装置６１）や包装箱６２に接触して電気機器（記録再生装置６１）を傷つける（若しくはプラグ端子６１１ａが傷つく）といったことがより有効に防止される。図１３には、電源プラグ保持部材１３００の一部に切り込み１３０１を設けて折り曲げることにより舌片部１３０２を形成し、当該舌片部１３０２によって電源プラグのプラグ端子が突出する面に突出部を形成したものの一例を示した。また、図１４及び図１５には、プラグ端子の延出方向と電源コードの延出方向が直角であるようなタイプの電源プラグに対してプラグ端子が突出する面に突出部を形成したものの一例を示した（それぞれ、図１４は、各折線で折り曲げることにより突出部１４０１を形成したもの、図１５は切込み１５０１を設けて形成した舌片部１５０２により突出部を形成したもの）。なお、実施例２と同様に、電源プラグ保持部材１１００にアクセサリを係止するようにしてもよいし、図１１・図１３〜図１５に示した突出部を組み合わせて、１種類の電源プラグ保持部材によって各種の形状の電源プラグに対応できる（プラグ端子を保護できる）ようにするなどしてもよい。
【実施例４】
【００４２】
図１６は本実施例の電源プラグ保持部材の概略を示す図であり、図１７は本実施例の電気機器の包装体の一部を透過的に示した上面図である。なお、実施例２と同様の構成要素には実施例２と同一の符号を使用している。
【００４３】
図１６に示されるように、本実施例の電源プラグ保持部材１６００は短手方向の長さが包装箱６２の内側寸法の高さと略同一である略矩形のダンボール（折曲げ可能な包装素材）に、記録再生装置６１の電源プラグ６１１（若しくは電源プラグ９１など）のプラグ端子６１１ａを挿通させるための切込み１６０１・１６０２・１６０３を形成し、図１６（ａ）中の破線１６０４で折り曲げることにより、略コ字形に形成される。さらに、電源プラグ保持部材１６００には略並行で且つ略同一の長さである２本の切込み１６０５が設けられ、当該２本の切込み１６０５に挟まれる部分であるバンド部１６０７を引き出すようにして、当該バンド部１６０７と前記２本の切込み１６０５の外側となる部分とを異なる方向に屈曲させることにより（図１６（ｂ））アクセサリ収納部１６１０が形成される。
【００４４】
図１６（ｃ）及び図１７に示されるように、本実施例の、包装体１７０によれば、電源プラグ保持部材１６００によって電気機器（記録再生装置６１）に付属するアクセサリ８０（リモコン装置や各種接続ケーブルなど）も保持されて包装箱６２内に収納され、且つ、当該アクセサリ８０の保持構造が、電源プラグ保持部材１６００自体によって形成されるため、アクセサリ８０を係止するための粘着テープや結束バンドを必要とせず、環境対策及びコストの低減が図られる。また、引き出すようにして屈曲させられたバンド部１６０７には復元力が働くため、ここに収納されるアクセサリ８０を良好に保持することができる。図１８には電源プラグ保持部材１８００に１本の切込み１８０５を設け当該切込み１８０５を境にして互い違いとなるように異なる方向に屈曲させる（折り線１８０７で折り曲げる）ことによりアクセサリ収納部１８１０を形成したものの一例を示した。なお、図１６及び図１８では、アクセサリ収納部を形成するための切込みを、電源プラグ保持部材の長手方向と略並行となるようにしているが、これに限るものではなく、例えば、短手方向と略並行となる（リモコン装置などが電源プラグ保持部材の長手方向と略並行になるように保持されることとなる）ようにしてもよい。
【００４５】
実施例中においては、理解の容易のため、電気機器の具体例として主に記録再生装置を主に用いて説明したが、本発明の適用範囲がこれに限られるというものではなく、実施例１からも明らかなように、冷蔵庫などのいわゆる“箱型”の電気機器の包装体にも本発明を有効に適用でき、ノートパソコンなどのいわゆる“薄型”の電気機器の包装体にも有効に適用できる。「電気機器」の具体例を列挙すると、例えば、テレビ、ＶＴＲ、ＤＶＤ再生／記録装置、ＨＤＤ再生／記録装置、ラジオ、ＲＥＣＯＲＤ  ＰＬＡＹＥＲ、ＣＡＳＥＴＴＥ  ＤＥＣＫ、ＨＯＭＥ  ＴＨＥＡＴＥＲ  ＳＹＳＴＥＭ、ＡＵＤＩＯ  ＣＯＭＰＯＮＥＮＴ  ＳＹＳＴＥＭ、ＡＶアンプ、ＭＤ記録／再生装置、ＬＡＳＥＲ  ＤＩＳＣ  ＰＬＡＹＥＲ、電子レンジ、オーブンレンジ、トースター、ＩＨクッキングヒーター、アイロン、エアコン、ファンヒーター、電気毛布、電気カーペット、扇風機、冷蔵庫、洗濯機、布団乾燥機、衣類乾燥機、除湿機、加湿器、ウォシュレット付き便座、換気システム、パソコン、電話、掃除機、ゲーム機、プロジェクターなどが挙げられ、本発明はこれらに示されるような、電源プラグを備えた電気機器の包装体に有効に適用することができる。
【図面の簡単な説明】
【００４６】
【図１】実施例１の電源プラグ保持部材の概略を示す図であり、（ａ）：平面展開図、（ｂ）：斜視図
【図２】実施例１の包装体の展開状態を示す斜視図
【図３】実施例１の包装体の一部を透過的に示した平面図であり、（ａ）：上面図、（ｂ）：側面図
【図４】別の電源プラグ保持部材の概略を示す図であり、（ａ）：平面展開図、（ｂ）：斜視図
【図５】実施例２の電源プラグ保持部材の概略を示す図であり、（ａ）：平面展開図、（ｂ）：斜視図
【図６】実施例２の包装体の展開状態を示す斜視図
【図７】実施例２の包装体の梱包作業の一部を説明するための斜視図
【図８】実施例２の包装体の一部を透過的に示した平面図であり、（ａ）：上面図、（ｂ）：側面図、（ｃ）：背面図
【図９】各種の電源プラグの形状を示した図
【図１０】実施例２の電源プラグ保持部材への各種の電源プラグの対応図
【図１１】実施例３の電源プラグ保持部材の概略を示す図であり、（ａ）：平面展開図、（ｂ）：斜視図、（ｃ）：上面図
【図１２】実施例３の包装体の一部を透過的に示した上面図
【図１３】別の電源プラグ保持部材の概略を示す図であり、（ａ）：平面展開図、（ｂ）：斜視図
【図１４】別の電源プラグ保持部材の概略を示す図であり、（ａ）：平面展開図、（ｂ）：斜視図、（ｃ）：上面図
【図１５】別の電源プラグ保持部材の概略を示す図であり、（ａ）：平面展開図、（ｂ）：斜視図
【図１６】実施例４の電源プラグ保持部材の概略を示す図であり、（ａ）：平面展開図、（ｂ）：斜視図、（ｃ）：アクセサリを収納した状態の斜視図
【図１７】実施例４の包装体の一部を透過的に示した上面図
【図１８】別の電源プラグ保持部材の概略を示す図であり、（ａ）：平面展開図、（ｂ）：斜視図
【符号の説明】
【００４７】
１      包装体
１１    電源プラグ保持部材
１２    包装箱
１３    緩衝材
１４    テレビ（電気機器）
１５    アクセサリ
１６ａ  粘着テープ若しくは結束バンド
５４    嵌合穴
１１１  切込み
１４１  電源プラグ
１４１ａ  プラグ端子
１１０３  突出部
１３０２  舌片部
１６０５  切込み
１６０７  バンド部
１６１０  アクセサリ収納部
【図１】
2006151471.tif 000003
【図２】
2006151471.tif 000004
【図３】
2006151471.tif 000005
【図４】
2006151471.tif 000006
【図５】
2006151471.tif 000007
【図６】
2006151471.tif 000008
【図７】
2006151471.tif 000009
【図８】
2006151471.tif 000010
【図９】
2006151471.tif 000011
【図１０】
2006151471.tif 000012
【図１１】
2006151471.tif 000013
【図１２】
2006151471.tif 000014
【図１３】
2006151471.tif 000015
【図１４】
2006151471.tif 000016
【図１５】
2006151471.tif 000017
【図１６】
2006151471.tif 000018
【図１７】
2006151471.tif 000019
【図１８】
2006151471.tif 000020